(57)【要約】【課題】従来にない趣きがあり、ランニングコストのかからない光ファイバを用いた置物を提供する。【解決手段】前面側が開口されたフード４１と、フード４１内に収容され、開口部１１ａから視認可能な装飾品１３と、一端側がフード４１内の装飾品１３の部位に位置して装飾品１３の一部を構成し、他端側がフード４１を貫通して外部に導出され、他端側がフード４１に対して揺動可能に設けられ、他端面１４ｂから導入される外部光が一端側から放出される１または複数本の光ファイバと１４を具備することを特徴とする。【選択図】図１
2005059325.tif 000002
【特許請求の範囲】
【請求項１】
前面側が開口されたフードと、
該フード内に収容され、前記開口部から視認可能な装飾品と、
一端側が前記フード内の装飾品の部位に位置して装飾品の一部を構成し、他端側が前記フードを貫通して外部に導出され、該他端側がフードに対して揺動可能に設けられ、他端面から導入される外部光が前記一端側から放出される１または複数本の光ファイバとを具備することを特徴とする置物。
【請求項２】
１本の光ファイバの他端面、或いは複数本の光ファイバの他端面が揃えられて構成される集合他端面を開閉可能にする蓋が設けられていることを特徴とする請求項１記載の置物。
【請求項３】
１本の光ファイバの他端側、或いは複数本の光ファイバの他端側が束ねられて構成される集合他端側には、筒状のカバー部が配設されて、外部光の導入される方向が限定されていることを特徴とする請求項１記載の置物。
【請求項４】
１本の光ファイバの他端側、或いは複数本の光ファイバの他端側が束ねられて構成される集合他端側は、揺動可能にバネによって支持されていることを特徴とする請求項１〜３のうちのいずれか一項記載の置物。
【請求項５】
前記フードの少なくとも一部は、炭で形成されていることを特徴とする請求項１〜４のうちのいずれか一項記載の置物。
【請求項６】
前記装飾品には水引が使用されていることを特徴とする請求項１〜５のうちのいずれか一項記載の置物。
【請求項７】
前記光ファイバは、少なくとも外部光を放出する部位を露出するように、外周面が装飾材で被覆されていることを特徴とする請求項１〜６のうちのいずれか一項記載の置物。  
【発明の詳細な説明】
【技術分野】
【０００１】
本発明は置物に関し、詳しくは、光ファイバを用いた置物に関するものである。
【背景技術】
【０００２】
従来、光ファイバを用いた置物等の飾り物が様々に提供されている。その多くは、花、動物等の形状をなす装飾部に光ファイバの光放出面のある一端側を固定し、光ファイバの他端側にＬＥＤ等の光源を置いて電飾風に形成したものである。（例えば、特許文献１参照）。
【特許文献１】実開平７−４３３８７号公報
【０００３】
このように光ファイバを電飾用に使用するものは、単調なものとなりつつあり、さらに、常時ＬＥＤ等の光源を必要として、ランニングコストがかかってしまう。
【発明の開示】
【発明が解決しようとする課題】
【０００４】
解決しようとする問題点は、従来の光ファイバを用いた置物等の飾り物は単調になりつつある上に、ランニングコストがかかる点である。
【課題を解決するための手段】
【０００５】
本発明の置物は、前面側が開口されたフードと、該フード内に収容され、前記開口部から視認可能な装飾品と、一端側が前記フード内の装飾品の部位に位置して装飾品の一部を構成し、他端側が前記フードを貫通して外部に導出され、該他端側がフードに対して揺動可能に設けられ、他端面から導入される外部光が前記一端側から放出される１または複数本の光ファイバとを具備することを特徴とする。
また、１本の光ファイバの他端面、或いは複数本の光ファイバの他端面が揃えられて構成される集合他端面を開閉可能にする蓋が設けられていることを特徴とする。
また、１本の光ファイバの他端側、或いは複数本の光ファイバの他端側が束ねられて構成される集合他端側には、筒状のカバー部が配設されて、外部光の導入される方向が限定されていることを特徴とする。
また、１本の光ファイバの他端側、或いは複数本の光ファイバの他端側が束ねられて構成される集合他端側は、揺動可能にバネによって支持されていることを特徴とする。
また、前記フードの少なくとも一部は、炭で形成されていることを特徴とする。
また、前記装飾品には水引が使用されていることを特徴とする。
また、前記光ファイバは、少なくとも外部光を放出する部位を露出するように、外周面が装飾材で被覆されていることを特徴とする。
【発明の効果】
【０００６】
本発明によれば、ランニングコストのかからない、従来にない趣きのある置物を提供することができる。
【発明を実施するための最良の形態】
【０００７】
以下、本発明による置物について図を用いて説明する。
図１は、本発明による置物１０の一実施形態を示す概略図であり、図２は、図１に示した置物１０の側面図である。
１２は、水引を編み込んで板状に形成した支持板であり、その上面には装飾品１３が載置されている。１１は覆設部であり、板状に形成された４枚の壁板１１ｂが、六面体の４面を構成するように組み立てられ、側部１１ｄ（前面側）と底部１１ｃで開口して形成されている。壁板１１ｂは不透明で光を通さないものであればよく、その材料は限定されないが、黒色のものが適しており、炭が好適である。そして、覆設部１１は、支持板１２の上面に載置されて装飾品１３を囲っている。つまり、支持板１２と覆設部１１とからなり、前面側に開口部１１ａを有するフード４１内に、装飾品１３が収容されることとなる。
【０００８】
装飾品１３は、光ファイバ１４の一端側の光放出面１４ａが使用されて電飾風に形成されたものであり、装飾品１３によって表現される形状に限定はなく、動物、植物或いは抽象的形状であってもよい。また、装飾品１３は、光ファイバ１４のみで構成してもよいが、光ファイバ１４の一端側が装飾品１３の一部を構成するように、光ファイバ１４と共に水引、プラスチック等を用いて、動物、植物或いは抽象的形状に形成してもよい。
【０００９】
光ファイバ１４は、一端側に光放出面が形成されているのに対し、他端側の先端面である他端面は、光が導入される面となっている。光ファイバ１４の材料は、樹脂、石英等を用いることができ、特に限定されない。また、光ファイバの直径も特に限定されないが、０．７５ｍｍ以上の径を有するものが好ましい。使用する光ファイバは、１本でもよいし、複数本であってもよい。複数本を使用する場合は、他端側で１つに束ねて他端面を揃え、集合他端とするとよい。
【００１０】
光ファイバは可撓性を有し、多数本束ねた際にはそれぞれの先端側が外方に孤状に曲がって広がり、一端側の光放出面が揺れたりすることから、面白みのある装飾品となすことができる。
【００１１】
さらに、光ファイバ１４の光放出面は、一端側の先端面は勿論のこと、その他様々な位置、形状に形成できる。例えば、図５に示すように、光ファイバ１４の一端側の先端面を斜めにカットして光放出面３０を形成してもよい。この光放出面３０の、光ファイバの軸線に対する傾斜角度は特に限定されないが、概ね７０°程度が好ましい。このように光ファイバを斜めにカットすることによって、広い面積の光放出面を形成することができる。
【００１２】
また、図６に示されるように、光ファイバ１４の一端側の先端面を、他の部位よりも大径に形成し、広い面積の光放出面３１に形成してもよい。
さらに、図７（正面図）、図８（側面図）に示されるように、光ファイバの外周面に設けた切欠部３２によって光放出面を形成してもよい。切欠部３２を形成することによって、光ファイバ１４の軸線と交差する切り欠き段差面３３が生じ、この切り欠き段差面３３が光放出面となる。すなわち、光ファイバ内を進行してきた光が、この切り欠き段差面から外方に放出される。この切欠部３２を任意の形状とし、任意の形状の切り欠き段差面３３とすることで装飾的効果も大きくなる。この切欠部３２は複数、任意の位置に設けることができる。勿論、光ファイバの先端面からの光放出も維持することができる。
【００１３】
図９は、光ファイバ１４に設ける切欠部３２を、光ファイバに断面Ｖ字状に食い込む周溝状に形成した例を示す。図示の例では、太さ０．７５ｍｍの光ファイバに深さ約０．２ｍｍとなる周溝（切欠部）を３本形成したものである。この周溝を形成することによって、やはり光ファイバの軸線と交差するリング状の切り欠き段差面が生じ、この切り欠き段差面から光が放出される。外部からは、切り欠き段差面が３重のリング状に光り輝いて見え、その装飾的効果は大きい。
また、図９に示す３本ずつの周溝を、光ファイバ１４の長手方向に適宜の間隔をおいて複数箇所に形成し（図１０参照）、各周溝の切り欠き段差面を光放出面とすることもできる。
【００１４】
さらに、光ファイバの中途部を曲折させる、或いは捩じることにより光ファイバに歪みを生じさせ、外周面に光放出面を形成することもできる。例えば、図１３に示すように、光ファイバ１４を光放出面である先端面１４ｄに近い中途部で２つ折りにして重ねると、その曲折部１４ｋは勿論のこと、曲折部１４ｋと先端面１４ｄとの間の外周面１４ｓからも光を放出させることができる。一旦、光ファイバに歪みを形成してしまえば、その後は光ファイバを伸ばした状態に戻しても、外周面から光を放出させることができる。
光ファイバ１４を２つ折りにした状態で保持すると、先端面１４ｄと曲折部１４ｋで強い光が放出され、先端面１４ｄと曲折部１４ｋの間の外周面１４ｓからはこれよりも弱い光が放出される。
【００１５】
光ファイバは図１１に示されるように、少なくとも光放出面を露出させるように、外周面を装飾材３３で被覆し、水引様の装飾用光ファイバ５０に形成してもよい。装飾材としては、糊付きの金紙或いは銀紙等の装飾用テープを巻き付けるようにしてもよいし、さらにその上に色付きの糸（あるいは紐）を巻き付けて水引様とすることができる。
【００１６】
図１２は、光ファイバに設けた周溝等の切欠部３２の近くに、切欠部３２の切り欠き段差面から放出される光が反射される鍔状の反射板を有する反射部材３４が取りつけられた例を示す。反射部材３４はそのリング部に光ファイバ１４が挿通されることによって、光ファイバ１４の外周面上の適宜位置に保持されるようになっている。これによると、切り欠き段差面から放出される光が反射板によって反射されるので、さらに複雑なデザイン構成とすることができる。勿論、光ファイバの歪みによって形成された光放出面に対しても、これと同様に反射部材３４を設けて光が反射するように構成することができる。
【００１７】
図４は、光ファイバを使用して、花の形状の装飾品１３を形成した例である。通常の水引を輪にして花弁１３ａとし、光ファイバの一端側によって花心１３ｂを形成している。花心１３ｂの先端は光放出面となっていて、光り輝くようになる。また、花心１３ｂに使用する光ファイバとしては、装飾用テープが巻き付けられた装飾用光ファイバが好適である。
他の例としては、水引によって花弁と茎を形成し、花心には光放出面である先端面を大径に形成した光ファイバを用いる。葉の外形を水引で形成して、葉脈の部位には、外周面に光放出面が形成された光ファイバを用いる。このように、光ファイバの、光放出面の形状や位置の違いを利用して、より装飾性の高い趣きのある装飾品を形成することができる。
【００１８】
装飾品１３を構成する光ファイバ１４は、他端側が壁板１１ｂを貫通し、他端面１４ｂがフード４１の外部に導出される（図２参照）。複数本の光ファイバを用いた場合は、これらの他端側は１つに束ねられて集合他端４０を形成し、集合他端４０は壁板１１ｂを貫通して、外方に延設される。そして、複数本の光ファイバの他端面が揃えられて形成される集合他端面４０ｂはフード４１の外部に配置される。
【００１９】
図２において１７は固定板であり、支持板１２の、光ファイバ１４（或いは集合他端４０）が延設される側の側面に固定されている。そして、固定板１７の上面には、バネ１６が上下方向に伸縮可能に設けられている。バネ１６の上部には断面略三角形の柱状の固定部１８が固定されており、光ファイバ１４（或いは集合他端４０）は固定部１８の斜面に沿って固定されている。これにより、他端面１４ｂ（或いは集合他端面４０ｂ）は上方に向けられて配置されることになる。
光ファイバ１４（或いは集合他端４０）が貫通する壁板１１ｂは、フード４１の背面側でも側面側でもどちらでもよく、さらに、固定板１７、バネ１６および固定部１８の配設位置もフード４１の背面側、側面側のどちらでもよい。
【００２０】
また、図３に示されるように、光ファイバ１４の他端（複数の光ファイバを用いた場合は集合他端４０）側にカバー部１９を配設してもよい。筒状のカバー部１９は、底部１９ａを有してラッパ状に開口部１９ｂに向かって徐々に拡径して形成されている。そして、光ファイバ１４（或いは集合他端４０）は底部１９ａを貫通して、その他端面１４ｂ（或いは集合他端面４０ｂ）はカバー部１９内に配置される。このとき、光ファイバ１４（或いは集合他端４０）の軸線と、カバー部１９の軸線が略一致するように配置するとよい。さらに、カバー部１９は、黒色であるとよい。
光ファイバ１４（或いは集合他端４０）は、カバー部１９が配設されることによって、光の導入される方向が限定されることとなる。
【００２１】
次に、上記構成からなる置物１０の使用方法について説明する。
置物１０は、支持板１２を下にして机上等に置かれて使用される。他端面１４ｂ（或いは集合他端面４０ｂ）を、太陽或いは照明等による外部光の方向に向けると、他端面から導入された外部光が光ファイバによって導かれ、フード４１内の光放出面において放出されて、電飾風に装飾品１３が光り輝くようになる。この状態は開口部１１ａを介して見ることができる。
【００２２】
フード４１内は遮光されて、外部よりも暗い状態なので、太陽や室内の照明による外部光でも光放出面が十分光り輝いて見える。従って、置物１０はＬＥＤ等の特別な光源を必要としないので、ランニングコストがかからない。
フード４１内で光放出面が輝く様子は、ちょうどヒカリゴケが洞穴内でほのかに光り輝く状態に似て趣きがあり、人はこれを見ることにより心が安らぐので、ストレス解消に好適である。また、覆設部１１を炭で形成した場合は、炭の黒さによって装飾品１３が引きたてられる上に、炭には空気清浄機能があるので置物として最適である。
【００２３】
さらに、光ファイバの他端（或いは集合他端）側をバネ１６の伸縮を利用して指で揺らすと、光の入射量が変化して光放出面を点滅させることができる。このときカバー部１９ごと揺らすことで光の遮断が効率良くできるので、簡単に点滅させることができる。こうして変化に富み、面白みのある置物を提供することができる。
【００２４】
以上本発明の好適な実施例について説明したが、本発明はこの実施例に限定されるものでないことは勿論である。
例えば、フードの開口部１１ａを透明な板で塞ぎ、透明な板を介してフード４１内の装飾品１３を視認可能に構成してもよい。透明な板の材料としては、ガラス、樹脂等が挙げられる。
また、覆設部１１によって覆われる支持板１２の上面を、黒等の暗い色の板１２ａで形成すると、一層、光が引き立つのでよい。例えば、板１２ａとしては、板状に形成された炭が好適である。この場合、枠状に形成された或いは凹部の形成された支持板１２の、枠内或いは凹部内に板１２ａを嵌め込んでフード４１を形成してもよいし、支持板１２の上に板１２ａを貼り付けてもよい。
また、他端面１４ｂ（或いは集合他端面４０ｂ）を開閉可能な蓋で覆ってもよい。通常は蓋によって遮光されている他端面１４ｂ（或いは集合他端面４０ｂ）が、蓋を開けることによって開放されて光が入射され、光放出面で発光させることができる。また、蓋の開閉を繰り返すことにより光放出面を点滅させることができる。
また、本発明の置物は、吊るす或いは壁に掛けて使用してもよい。
【図面の簡単な説明】
【００２５】
【図１】本発明による置物の概略図である。
【図２】図１に示した置物の側面図である。
【図３】カバー部の取り付け状態を示す断面図である。
【図４】装飾品の１例を示す概略図である。
【図５】先端面を斜めにカットして形成した光放出面を示す側面図である。
【図６】先端を大径にして形成した光放出面を示す説明図である。
【図７】切欠部によって形成した光放出面を示す正面図である。
【図８】切欠部によって形成した光放出面を示す側面図である。
【図９】周溝によって形成した光放出面を示す説明図である。
【図１０】周溝を多数設けて形成した光放出面を示す説明図である。
【図１１】外周面を装飾材で被覆した光ファイバを示す説明図である。
【図１２】反射部材を取り付けた光ファイバを示す説明図である。
【図１３】歪みによって光放出面を形成する方法を示す概略図である。
【符号の説明】
【００２６】
１０  置物
１１  覆設部
１２  支持板
１３  装飾品
１４  光ファイバ
１６  バネ
４１  フード
【図１】
2005059325.tif 000003
【図２】
2005059325.tif 000004
【図３】
2005059325.tif 000005
【図４】
2005059325.tif 000006
【図５】
2005059325.tif 000007
【図６】
2005059325.tif 000008
【図７】
2005059325.tif 000009
【図８】
2005059325.tif 000010
【図９】
2005059325.tif 000011
【図１０】
2005059325.tif 000012
【図１１】
2005059325.tif 000013
【図１２】
2005059325.tif 000014
【図１３】
2005059325.tif 000015